(57)【要約】【課題】負荷に供給する電力が周期的に変化する場合でも、供給電力が過大にならないように供給を制限することができるスイッチング電源装置を得る。【解決手段】スイッチング素子を有する電源部と、スイッチング素子のスイッチングにより生じる複数の電流パルスのうち、しきい電流値を超えるピーク電流値を有する過電流パルスの数が単位期間にしきいパルス数に達したか否かを検出するとともに、過電流パルスの数がしきいパルス数に達した単位期間の連続出現回数を検出する検出部とを備える。【選択図】図４
2013162708.tif 000002
【特許請求の範囲】
【請求項１】
スイッチング素子を有する電源部と、
前記スイッチング素子のスイッチングにより生じる複数の電流パルスのうち、しきい電流値を超えるピーク電流値を有する過電流パルスの数が単位期間にしきいパルス数に達したか否かを検出するとともに、前記過電流パルスの数が前記しきいパルス数に達した単位期間の連続出現回数を検出する検出部と
を備えたスイッチング電源装置。
【請求項２】
前記電源部は、軽負荷状態を含む複数の負荷状態の間で時分割的に繰り返し切り換わる負荷を駆動し、
前記単位期間は、負荷が前記軽負荷状態になる軽負荷期間よりも短い
請求項１に記載のスイッチング電源装置。
【請求項３】
一の前記軽負荷期間は、１つの単位期間を含む
請求項２に記載のスイッチング電源装置。
【請求項４】
前記負荷は、所定期間ごとに負荷状態を繰り返し
前記軽負荷期間は、複数の前記所定期間おきに、１つの単位期間を含む
請求項３に記載のスイッチング電源装置。
【請求項５】
一の前記軽負荷期間は、複数の単位期間を含む
請求項２に記載のスイッチング電源装置。
【請求項６】
前記検出部は、前記連続出現回数が所定数に達したか否かを検出し、
前記単位期間の前記所定数分の時間は、１または複数の単位期間を含む、互いに隣り合う軽負荷期間の間の時間よりも長い
請求項３に記載のスイッチング電源装置。
【請求項７】
前記しきい電流値は、前記軽負荷期間における電流パルスのピーク電流値よりも大きい
請求項２に記載のスイッチング電源装置。
【請求項８】
前記しきい電流値は、負荷が前記複数の負荷状態のうちの最も重い負荷状態になる期間における電流パルスのピーク電流値よりも小さい
請求項２に記載のスイッチング電源装置。
【請求項９】
前記複数の負荷状態は、軽負荷状態および重負荷状態である
請求項２に記載のスイッチング電源装置。
【請求項１０】
前記しきいパルス数は、前記単位期間における前記スイッチング素子がオンになる回数よりも少ない
請求項１に記載のスイッチング電源装置。
【請求項１１】
バックライトの発光を制御する制御部と、
スイッチング素子を有し、前記バックライトに電力を供給する電源部と、
前記スイッチング素子のスイッチングにより生じる複数の電流パルスのうち、しきい電流値を超えるピーク電流値を有する過電流パルスの数が単位期間にしきいパルス数に達したか否かを検出するとともに、前記過電流パルスの数が前記しきいパルス数に達した単位期間の連続出現回数を検出する検出部と
を備えたバックライト駆動装置。
【請求項１２】
液晶表示部と、
バックライトと、
前記バックライトの発光を制御する制御部と、
スイッチング素子を有し、前記バックライトに電力を供給する電源部と、
前記スイッチング素子のスイッチングにより生じる複数の電流パルスのうち、しきい電流値を超えるピーク電流値を有する過電流パルスの数が単位期間にしきいパルス数に達したか否かを検出するとともに、前記過電流パルスの数が前記しきいパルス数に達した単位期間の連続出現回数を検出する検出部と
を備えた表示装置。
【発明の詳細な説明】
【技術分野】
【０００１】
本開示は、負荷電流を検出する機能を有するスイッチング電源装置、そのようなスイッチング電源装置を備えたバックライト駆動装置および表示装置に関する。
【背景技術】
【０００２】
電子機器では、機器内において必要な電力を供給する目的で、スイッチング電源がしばしば用いられる。例えば、電子機器に搭載されるいくつかのデバイスは、機器内に通常準備されている電源電圧とは異なる電圧で動作する場合がある。例えば、液晶表示装置では、バックライトを発光させるために、バックライトの仕様に応じた所定の電圧を供給する必要がある。このような場合において、スイッチング電源は、機器の電源電圧から、そのようなデバイスに必要な電圧を生成するようになっている。
【０００３】
スイッチング電源には、負荷となるデバイスに過大な電流が流れないようにするために、しばしば保護回路が設けられる。例えば、特許文献１には、パルス状の電流が流れる負荷を駆動しつつ、そのパルスよりも長い期間に流れるより少ない電流を制限する保護回路が開示されている。また、特許文献２には、電流が所定の電流レベルに達した回数をカウントし、そのカウント値が所定のカウントに達した場合に電力変換器の動作を停止するように動作を行う保護回路が開示されている。
【先行技術文献】
【特許文献】
【０００４】
【特許文献１】特開平６−２７６７３４号公報
【特許文献２】特開平６−２３３５１９号公報
【発明の概要】
【発明が解決しようとする課題】
【０００５】
ところで、液晶表示装置では、バックライトを間欠的に発光させる（いわゆるバックライトブリンキング）ことにより、動画の画質の改善を図る技術がある。この場合、バックライトの間欠的な動作に対応して、バックライトに供給される電力が周期的に変化する。スイッチング電源は、このような場合でも、バックライトに供給する電力が過大にならないように、電力供給を制限することが望まれる。
【０００６】
本開示はかかる問題点に鑑みてなされたもので、その目的は、負荷に供給する電力が周期的に変化する場合でも、供給電力が過大にならないように供給を制限することができるスイッチング電源装置、バックライト駆動装置、および表示装置を提供することにある。
【課題を解決するための手段】
【０００７】
本開示のスイッチング電源装置は、電源部と、検出部とを備えている。電源部は、スイッチング素子を有するものである。検出部は、スイッチング素子のスイッチングにより生じる複数の電流パルスのうち、しきい電流値を超えるピーク電流値を有する過電流パルスの数が単位期間にしきいパルス数に達したか否かを検出するとともに、過電流パルスの数が前記しきいパルス数に達した単位期間の連続出現回数を検出するものである。
【０００８】
本開示のバックライト駆動装置は、制御部と、電源部と、検出部とを備えている。制御部は、バックライトの発光を制御するものである。電源部は、スイッチング素子を有し、バックライトに電力を供給するものである。検出部は、スイッチング素子のスイッチングにより生じる複数の電流パルスのうち、しきい電流値を超えるピーク電流値を有する過電流パルスの数が単位期間にしきいパルス数に達したか否かを検出するとともに、過電流パルスの数がしきいパルス数に達した単位期間の連続出現回数を検出するものである。
【０００９】
本開示の表示装置は、液晶表示部と、バックライトと、制御部と、電源部と、検出部とを備えている。制御部は、バックライトの発光を制御するものである。電源部は、スイッチング素子を有し、バックライトに電力を供給するものである。検出部は、スイッチング素子のスイッチングにより生じる複数の電流パルスのうち、しきい電流値を超えるピーク電流値を有する過電流パルスの数が単位期間にしきいパルス数に達したか否かを検出するとともに、過電流パルスの数がしきいパルス数に達した単位期間の連続出現回数を検出するものである。
【００１０】
本開示のスイッチング電源装置、バックライト駆動装置、および表示装置では、スイッチング素子がスイッチング動作を行うことにより、負荷に供給するための電力が生成される。その際、検出部において、過電流パルスの数がしきいパルス数に達した単位期間の連続出現回数が検出される。
【発明の効果】
【００１１】
本開示のスイッチング電源装置、バックライト駆動装置、および表示装置によれば、過電流パルスの数がしきいパルス数に達した単位期間の連続出現回数を検出するようにしたので、負荷に供給する電力が周期的に変化する場合でも、供給電力が過大にならないように供給を制限することができる。
【図面の簡単な説明】
【００１２】
【図１】本開示の実施の形態に係る表示装置の一構成例を表すブロック図である。
【図２】図１に示した表示駆動部の一構成例を表すブロック図である。
【図３】図１に示した液晶表示部の画素の一例を表す回路図である。
【図４】図１に示したバックライト駆動部の一構成例を表す回路図である。
【図５】図４に示したスイッチング電源の一動作例を表すタイミング波形図である。
【図６】図４に示した過負荷検出部の一構成例を表すブロック図である。
【図７】図６に示した過負荷検出部の一動作例を表すタイミング波形図である。
【図８】図１に示した表示装置の一動作例を表すタイミング波形図である。
【図９】図１に示したバックライト駆動部の一動作例を表すタイミング図である。
【図１０】図１に示したバックライト駆動部の一動作例を表す他のタイミング図である。
【図１１】図１に示したバックライト駆動部の他の動作例を表すタイミング図である。
【図１２】図１に示したバックライト駆動部の他の動作例を表す他のタイミング図である。
【図１３】図１に示したバックライト駆動部の他の動作例を表すタイミング図である。
【図１４】比較例に係る過負荷検出部の一構成例を表すブロック図である。
【図１５】比較例に係るバックライト駆動部の一動作例を表すタイミング図である。
【図１６】比較例に係るバックライト駆動部の他の動作例を表すタイミング図である。
【図１７】比較例に係るバックライト駆動部の他の動作例を表すタイミング図である。
【図１８】変形例に係るバックライト駆動部の一動作例を表すタイミング図である。
【図１９】他の変形例に係るバックライト駆動部の一動作例を表すタイミング図である。
【図２０】他の変形例に係るバックライト駆動部の他の動作例を表すタイミング図である。
【図２１】他の変形例に係るバックライト駆動部の一構成例を表す回路図である。
【図２２】実施の形態に係る表示装置が適用されたテレビジョン装置の外観構成を表す斜視図である。
【発明を実施するための形態】
【００１３】
以下、本開示の実施の形態について、図面を参照して詳細に説明する。なお、説明は以下の順序で行う。
１．実施の形態
２．適用例
【００１４】
＜１．実施の形態＞
［構成例］
（全体構成例）
図１は、実施の形態に係る表示装置１の一構成例を表すものである。表示装置１は、液晶表示素子を表示素子として用いた表示装置である。なお、本開示の実施の形態に係るスイッチング電源装置、バックライト駆動装置は、本実施の形態により具現化されるので、併せて説明する。
【００１５】
表示装置１は、制御部１１と、表示駆動部２０と、液晶表示部１２と、バックライト駆動部３０と、バックライト１３とを備えている。
【００１６】
制御部１１は、映像信号Ｓdispに基づいて、表示駆動部２０およびバックライト駆動部３０がお互いに同期して動作するように制御する回路である。具体的には、制御部１１は、後述するように、表示駆動部２０に対して映像信号Ｓdispおよび表示制御信号を供給し、バックライト駆動部３０に対してバックライト制御信号ＣＢＬを供給する。
【００１７】
表示駆動部２０は、制御部１１から供給される映像信号Ｓdispに基づいて、液晶表示部１２を駆動するものである。液晶表示部１２は、液晶表示素子により構成された表示部であり、バックライト３０から射出した光を変調することにより表示を行うようになっている。
【００１８】
図２は、表示駆動部２０のブロック図の一例を表すものである。表示駆動部２０は、タイミング制御部２１と、ゲートドライバ２２と、データドライバ２３とを備えている。タイミング制御部２１は、ゲートドライバ２２およびデータドライバ２３の駆動タイミングを制御するとともに、制御部１１から供給された映像信号Ｓdispを映像信号Ｓdisp2としてデータドライバ２３へ供給するものである。ゲートドライバ２２は、タイミング制御部２１によるタイミング制御に従って、液晶表示部１２内の画素Ｐixを行ごとに順次選択して、線順次走査するものである。データドライバ２３は、液晶表示部１２の各画素Ｐixへ、映像信号Ｓdisp2に基づく画素信号を供給するものである。具体的には、データドライバ２３は、映像信号Ｓdisp2に基づいてＤ／Ａ（デジタル／アナログ）変換を行うことにより、アナログ信号である画素信号を生成し、各画素Ｐixへ供給するようになっている。
【００１９】
液晶表示部１２は、例えばガラスなどから構成される２枚の透明基板の間に液晶材料を封入したものである。これらの透明基板の液晶材料に面した部分には、例えばＩＴＯ（Indium Tin Oxide）などから構成される透明電極が形成され、液晶材料とともに画素Ｐixを構成している。液晶表示部１２には、図２に示したように、画素Ｐixがマトリックス状に配置されている。
【００２０】
図３は、画素Ｐixの回路図の一例を表すものである。画素Ｐixは、ＴＦＴ（Thin Film Transistor）素子Ｔｒと、液晶素子ＬＣと、保持容量素子Ｃｓとを備えている。ＴＦＴ素子Ｔｒは、例えばＭＯＳ−ＦＥＴ（Metal Oxide Semiconductor-Field Effect Transistor）により構成されるものであり、ゲートがゲート線ＧＣＬに接続され、ソースがデータ線ＳＧＬに接続され、ドレインが液晶素子ＬＣの一端と保持容量素子Ｃｓの一端に接続されている。液晶素子ＬＣは、一端がＴＦＴ素子Ｔｒのドレインに接続され、他端は接地されている。保持容量素子Ｃｓは、一端がＴＦＴ素子Ｔｒのドレインに接続され、他端は保持容量線ＣＳＬに接続されている。ゲート線ＧＣＬはゲートドライバ２２に接続され、データ線ＳＧＬはデータドライバ２３に接続されている。
【００２１】
バックライト駆動部３０は、制御部１１から供給されたバックライト制御信号ＣＢＬに基づいて、バックライト１３を、液晶表示部１２における表示に同期して間欠的に発光するように駆動するものである。具体的には、バックライト駆動部３０は、バックライト制御信号ＣＢＬが高レベルの期間（発光期間Ｐon）にはバックライト１３を点灯させ、バックライト制御信号ＣＢＬが低レベルの期間（消灯期間Ｐoff）にはバックライト１３を消灯させるように、バックライト１３を駆動するようになっている。バックライト１３は、バックライト駆動部３０から供給される駆動信号に基づいて間欠的に発光（ブリンキング）し、液晶表示部１２に対してその光を射出するものである。
【００２２】
図４は、バックライト１３およびバックライト駆動部３０の一構成例を表すものである。
【００２３】
バックライト１３は、Ｎ個のＬＥＤ（Light Emitting Diode）１９（１）〜１９（Ｎ）を直列に接続して構成したものである。なお、この例では、バックライト１３はＬＥＤにより構成されるものとしたが、これに限定されるものではなく、これに代えて、例えばＯＬＥＤ（Organic Light Emitting Diode）により構成されるようにしてもよい。
【００２４】
バックライト駆動部３０は、トランジスタ３１と、抵抗素子３２と、スイッチング電源４０とを備えている。
【００２５】
トランジスタ３１は、この例ではＮ型のＭＯＳトランジスタであり、ゲートにはバックライト制御信号ＣＢＬが供給され、ドレインがバックライト１３のＬＥＤ１９（Ｎ）のカソードに接続され、ソースが抵抗素子３２の一端に接続されている。抵抗素子３２は、一端がトランジスタ３１のソースに接続され、他端が接地されている。また、抵抗素子３２の一端は、制御部４８にも接続され、抵抗素子３２の一端の電圧Ｖ１を制御部４８に供給するようになっている。
【００２６】
この構成により、バックライト制御信号ＣＢＬに基づいてトランジスタ３１がオンオフ制御され、バックライト１３が間欠的に発光する。また、後述するように、電圧Ｖ１に基づいて制御部４８が制御動作を行うことにより、バックライト１３が発光する際に流れる電流（発光電流）が所定の値になるように制御されるようになっている。すなわち、抵抗素子３２は、バックライト１３を流れる発光電流を得るためのセンサとして機能している。
【００２７】
スイッチング電源４０は、バックライト１３に電力を供給するための電源である。このスイッチング電源４０は、この例では昇圧チョッパー方式のスイッチング電源であり、直流電圧ＶＤＤに基づいて、直流電圧ＶＤＤよりも高い電圧ＶＤＤ１を生成するものである。スイッチング電源４０は、容量素子４１と、チョークコイル４２と、トランジスタ４３と、抵抗素子４４と、ダイオード４５と、容量素子４６と、過負荷検出部５０と、制御部４８とを備えている。
【００２８】
容量素子４１は、一端に電圧ＶＤＤが供給され、他端が接地されている。チョークコイル４２は、一端が容量素子４１の一端に接続されるとともに電圧ＶＤＤが供給され、他端がトランジスタ４３のドレインおよびダイオード４５のアノードに接続されている。トランジスタ４３は、この例ではＮ型のＭＯＳトランジスタであり、ゲートには制御部４８から制御信号ＣＳＷが供給され、ドレインはチョークコイル４２の他端およびダイオード４５のアノードに接続され、ソースは抵抗素子４４の一端に接続されている。抵抗素子４４は、一端がトランジスタ４３のソースに接続され、他端が接地されている。また、抵抗素子４４の一端は、過負荷検出部５０にも接続され、抵抗素子４４の一端の電圧Ｖdetを過負荷検出部５０に供給するようになっている。この抵抗素子４４は、抵抗素子３２と同様に、トランジスタ４３を流れる電流Ｉ４３を得るためのセンサとして機能するものである。  ダイオード４５は、アノードがチョークコイル４２の他端およびトランジスタ４３のドレインに接続され、カソードが容量素子４６の一端に接続されている。容量素子４６は、一端がダイオード４５のカソードに接続され、他端が接地されている。そして、ダイオード４５のカソードおよび容量素子４６の一端は、バックライト１３のＬＥＤ１９（１）のアノードに接続されている。
【００２９】
過負荷検出部５０は、電圧Ｖdetに基づいて、バックライト１３に供給する電力が過大であるかどうかを検出する回路である。そして過負荷検出部５０は、その検出結果を検出信号ＤＥＴとして出力するようになっている。
【００３０】
制御部４８は、バックライト制御信号ＣＢＬ、電圧Ｖ１、および検出信号ＤＥＴに基づいて、パルス幅変調された制御信号ＣＳＷを生成し、トランジスタ４３に供給するものである。
【００３１】
図５は、スイッチング電源４０の動作のタイミング図を表すものであり、（Ａ）はバックライト制御信号ＣＢＬの波形を示し、（Ｂ）は制御信号ＣＳＷの波形を示し、（Ｃ）はトランジスタ４３に流れる電流Ｉ４３の波形を示す。
【００３２】
制御部４８は、パルス幅変調（ＰＷＭ）された制御信号ＣＳＷを生成し、トランジスタ４３に供給する（図５（Ｂ））。そして、トランジスタ４３は、制御信号ＣＳＷが高レベルになったときにオン状態になる。これにより、トランジスタ４３には、オン状態になる期間において、時間とともに増加する過渡電流が流れる（図５（Ｃ））。
【００３３】
制御部４８は、バックライト制御信号ＣＢＬ（図５（Ａ））が高レベルである場合には、バックライト１３に電力を供給するために制御信号ＣＳＷのパルス幅を広げるとともに、電圧Ｖ１に基づいて、制御信号ＣＳＷ（図５（Ｂ））のパルス幅を変化させることにより、バックライト１３に流れる電流が所定の電流になるように制御する。また、制御部４８は、バックライト制御信号ＣＢＬ（図５（Ａ））が低レベルである場合には、バックライト１３が消灯状態になり電力を供給する必要がないため、制御信号ＣＳＷ（図５（Ｂ））のパルス幅を所定の幅に狭めるようになっている。
【００３４】
また、制御部４８は、過負荷検出部５０から供給される検出信号ＤＥＴに基づき、スイッチング電源４０の動作を制御する機能をも有している。具体的には、制御部４８は、バックライト１３に供給する電力が過大であると過負荷検出部５０が判断した場合には、スイッチング電源４０の動作を停止する。これにより、表示装置１では、バックライト１３に供給する電力が大きくなり過ぎることがないため、例えば、スイッチング電源４０が異常に発熱したり故障したりするおそれを低減することができる。
【００３５】
（過負荷検出部５０）
図５（Ｃ）に示したように、トランジスタ４３がオン状態になる期間において、トランジスタ４３には、時間とともに増加する過渡電流が流れる。過負荷検出部５０は、この過渡電流を用いて、バックライト１３に供給する電力が過大であるかどうかを検出する。
【００３６】
図６は、過負荷検出部５０の一構成例を表すものである。過負荷検出部５０は、コンパレータ５１と、クロック生成部５２と、カウンタ５３，５４とを備えている。
【００３７】
コンパレータ５１は、電圧Ｖdetをリファレンス電圧Ｖrefと比較するものである。図５の例では、バックライト制御信号ＣＢＬが高レベルの場合において、電流Ｉ４３のピーク値がリファレンス電圧Ｖrefに対応する電流Ｉrefを上回り、コンパレータ５１は、矩形状のパルスを生成して信号Ｖcompとして出力する。一方、バックライト制御信号ＣＢＬが低レベルの場合には、電流Ｉ４３のピーク値がリファレンス電圧Ｖrefに対応する電流Ｉrefを下回るため、コンパレータ５１は、低レベルを出力する。
【００３８】
クロック生成部５２は、所定の周期Ｔでパルス（クロックパルス）が現れるクロック信号ＣＬＫを生成するものである。クロック信号ＣＬＫは、周期Ｔに対応する期間ＰＵを定義するものである。すなわち、期間ＰＵは、クロック信号ＣＬＫにクロックパルスが現れた時に開始し、次にクロックパルスが現れたときに終了する期間である。この期間ＰＵの幅（周期Ｔ）は、後述するように、バックライト１３の消灯期間Ｐoffの幅よりも短くなるように設定されている。
【００３９】
カウンタ５３は、信号Ｖcompおよびクロック信号ＣＬＫに基づいて、各期間ＰＵにおいて、信号Ｖcompのパルスをカウントし、そのカウント値が所定のカウント値Ｎ１に達したときに、その出力信号Ｖcntを高レベルにするものである。また、カウンタ５３は、クロック信号ＣＬＫにクロックパルスが現れる度に、カウント値をリセットするようになっている。
【００４０】
カウンタ５４は、信号Ｖcntおよびクロック信号ＣＬＫに基づいて、信号Ｖcntに現れるパルスをカウントし、そのカウント値が所定のカウント値Ｎ２に達したときに、出力信号ＤＥＴを高レベルにするものである。また、カウンタ５４は、期間ＰＵにおいて信号Ｖcntが高レベルにならなかった場合に、カウント値をリセットするようになっている。
【００４１】
図７は、過負荷検出部５０の動作のタイミング図を表すものであり、（Ａ）はクロック信号ＣＬＫの波形を示し、（Ｂ）はコンパレータ５１の出力信号Ｖcompの波形を示し、（Ｃ）はカウンタ５３の出力信号Ｖcntの波形を示し、（Ｄ）はカウンタ５４におけるカウント値を示し、（Ｅ）はカウンタ５４の出力信号ＤＥＴの波形を示す。この図７では、説明の便宜上、バックライト制御信号ＣＢＬが高レベルに固定されている。これにより、図５に示したように、電流Ｉ４３のピーク値が電流Ｉrefを上回り、コンパレータ５１の出力には、図７（Ｂ）に示したようにパルスが常に生じるようになる。
【００４２】
まず、タイミングｔ１〜ｔ３の期間ＰＵについて説明する。タイミングｔ１において、クロック信号生成部５２は、クロックパルスを発生する（図７（Ａ））。そして、カウンタ５３は、そのクロックパルスに基づいてカウント値をリセットして出力信号Ｖcntを低レベルにした後、信号Ｖcompのパルス（図７（Ｂ））のカウントを開始する。そして、カウンタ５３は、タイミングｔ２においてカウント値がＮ１に達すると、出力信号Ｖcntを低レベルから高レベルに変化させる（図７（Ｃ））。カウンタ５４は、この信号Ｖcntの変化に応じて、カウント値を１つ増加させる（図７（Ｄ））。
【００４３】
その後、過負荷検出部５０は、各期間ＰＵにおいて同様の動作を繰り返す。
【００４４】
そして、タイミングｔ７〜ｔ９の期間ＰＵにおいて、カウンタ５３は、同様に、信号Ｖcompのパルスをカウントし、カウント値がＮ１に達すると、出力信号Ｖcntを低レベルから高レベルに変化させる（図７（Ｃ））。カウンタ５４は、この信号Ｖcntの変化に応じて、カウント値を１つ増加させる（図７（Ｄ））。そして、カウンタ５４は、カウント値がカウント値Ｎ２に達したため、出力信号ＤＥＴを低レベルから高レベルに変化させる（図７（Ｅ））。
【００４５】
このように、過負荷検出部５０は、Ｎ２個の期間ＰＵにわたって、各期間において信号ＶcompのパルスがＮ１個以上現れた場合に、信号ＤＥＴを高レベルにするように動作する。この動作により、過負荷検出部５０は、後述するように、バックライト１３に供給する電力が過大であるかどうかを検出するようになっている。
【００４６】
ここで、容量素子４１，４６、チョークコイル４２、トランジスタ４３、およびダイオード４５は、本開示における「電源部」の一具体例に対応し、トランジスタ４３は、本開示における「スイッチング素子」の一具体例に対応する。過負荷検出部５０は、本開示における「検出部」の一具体例に対応し、カウント値Ｎ１は、本開示における「しきいパルス数」の一具体例に対応する。
【００４７】
［動作および作用］
続いて、本実施の形態の表示装置１の動作および作用について説明する。
【００４８】
（全体動作概要）
まず、図１などを参照して、表示装置１の全体動作概要を説明する。制御部１１は、映像信号Ｓdispに基づいて、表示駆動部２０およびバックライト駆動部３０がお互いに同期して動作するように制御する。表示駆動部２０は、液晶表示部１２を駆動する。バックライト駆動部３０は、バックライト１３を、液晶表示部１２における表示に同期して間欠的に発光するように駆動する。その際、バックライト駆動部３０は、バックライト１３に供給する電力が過大であると判断する場合には、バックライト１３の駆動を停止する。バックライト１３は、バックライト駆動部３０から供給される駆動信号に基づいて間欠的に発光する。液晶表示部１２は、バックライト１３から射出した光を変調することにより表示を行う。
【００４９】
図８は、表示装置１における表示動作のタイミング図を表すものであり、（Ａ）は液晶表示部１２における線順次走査による表示動作を示し、（Ｂ）はバックライト制御信号ＣＢＬの波形を示し、（Ｃ）はバックライト１３の動作を示している。図８（Ａ）の縦軸は、液晶表示部１２の線順次走査方向の走査位置を示している。また、図８（Ｃ）において、“ＯＮ”は、バックライト１３が発光していることを示し、“ＯＦＦ”は、バックライト１３が消灯していることを示す。
【００５０】
表示装置１では、周期Ｔ０で線順次走査が行われ、フレーム画像の表示が行われる。ここで、周期Ｔ０は、例えば、１６．７［msec］（＝１／６０［Hz］）にすることができる。
【００５１】
液晶表示部１２では、タイミングｔ１１〜ｔ１４の期間において、表示駆動部２０から供給される駆動信号に基づき、最上部から最下部に向かって線順次走査が行われ、画素信号が書き込まれる（図８（Ａ））。また、制御部１１は、タイミングｔ１２〜ｔ１３の期間において低レベルとなり、タイミングｔ１３〜ｔ１５の期間において高レベルとなるバックライト駆動信号ＣＢＬを生成する（図８（Ｂ））。バックライト駆動部３０は、これに基づいて、タイミングｔ１２〜ｔ１３の期間（消灯期間Ｐoff）において消灯し、タイミングｔ１３〜ｔ１５の期間（発光期間Ｐon）において発光するように（図８（Ｃ））、バックライト１３を駆動する。これにより、観察者は、バックライト１３の消灯期間Ｐoffでは表示画像を観察せず、発光期間Ｐonにおいてのみ表示画像を観察する。
【００５２】
このように、表示装置１では、バックライト１３を間欠的に発光させることにより、いわゆるホールドぼけの影響を低減することができ、動画の画質の改善を図ることができる。
【００５３】
なお、この例では、バックライトの発光期間Ｐonは、表示画面における中央の水平ラインに画素信号が書き込まれてから次に画素信号が書き込まれるまでの期間（表示期間Ｐdisp）の最後に設けたが、これに限定されるものではない。
【００５４】
（バックライト駆動部３０の詳細動作）
次に、バックライト駆動部３０の詳細動作について説明する。まず最初に、表示装置１が正常な動作をする場合（ケースＣ１）の動作について説明する。
【００５５】
図９は、ケースＣ１におけるバックライト駆動部３０の詳細動作のタイミング図を表すものであり、（Ａ）はクロック信号ＣＬＫの波形を示し、（Ｂ）はバックライト制御信号ＣＢＬの波形を示し、（Ｃ）は電流Ｉ４３の波形を示し、（Ｄ）は信号Ｖcompの波形を示し、（Ｅ）はカウンタ５３の出力信号Ｖcntの波形を示し、（Ｆ）はカウンタ５４におけるカウント値を示し、（Ｇ）はカウンタ５４の出力信号ＤＥＴの波形を示す。
【００５６】
図１０は、図９のタイミングｔ２１〜ｔ２２の期間ＰＵにおけるバックライト駆動部３０の詳細動作のタイミング図を表すものであり、（Ａ）はクロック信号ＣＬＫの波形を示し、（Ｂ）はバックライト制御信号ＣＢＬの波形を示し、（Ｃ）は制御信号ＣＳＷの波形を示し、（Ｄ）は電流Ｉ４３の波形を示し、（Ｅ）は信号Ｖcompの波形を示し、（Ｆ）はカウンタ５３の出力信号Ｖcntの波形を示す。
【００５７】
図９（Ｃ）の網掛けは、図１０（Ｄ）に示したように、電流Ｉ４３に複数の過渡電流が現れていることを意味しており、その網掛け部分の高さは、その過渡電流のピーク値を示している。また、図９（Ｄ）の網掛けは、電流Ｉ４３（図９（Ｃ）、図１０（Ｄ））のピーク値が電流Ｉrefを上回ることに応じて、図１０（Ｅ）に示したように、信号Ｖcompに複数のパルスが生じることを意味している。
【００５８】
バックライト駆動部３０は、制御部１１から供給されたバックライト駆動信号ＣＢＬ（図９（Ｂ））に基づいて、バックライト１３を間欠的に発光させるように駆動する。その際、バックライト駆動部３０の過負荷検出部５０は、この例では、バックライト制御信号ＣＢＬの２周期分を単位（例えばタイミングｔ２１〜ｔ３０の期間）として、電圧Ｖdet（電流Ｉ４３）に基づいて、バックライト１３に供給する電力が過大であるかどうかを検出する。以下に、その詳細を説明する。
【００５９】
まず、タイミングｔ２１において、カウンタ５３は、クロックパルス（図９（Ａ），図１０（Ａ））に基づいてカウント値をリセットする。
【００６０】
まず、タイミングｔ２１〜ｔ２２の期間ＰＵにおいて、過負荷検出部５０では、カウンタ５３が信号Ｖcompのパルスをカウントする。具体的には、まず、タイミングｔ２１において、カウンタ５３は、クロックパルス（図９（Ａ），図１０（Ａ））に基づいてカウント値をリセットする。その後、バックライト駆動信号ＣＢＬが低レベルから高レベルに変化する（図９（Ｂ），図１０（Ｂ））。これにより、制御部４８は、バックライト１３に電力を供給するために、制御信号ＣＳＷのパルス幅を広げる（図１０（Ｃ））。これに応じて、トランジスタ４３に流れる電流Ｉ４３のピーク値が高くなり（図９（Ｃ），図１０（Ｄ））、信号Ｖcompにパルスが生じる（図９（Ｄ），図１０（Ｅ））。カウンタ５３は、この信号Ｖcompのパルスをカウントし、カウント値がＮ１に達したときに、出力信号Ｖcntを低レベルから高レベルに変化させる（図９（Ｅ），図１０（Ｆ））。そして、カウンタ５４は、この信号Ｖcntの変化に応じて、カウント値を１つ増加させる（図９（Ｆ））。
【００６１】
次に、タイミングｔ２２〜ｔ２３の期間ＰＵにおいて、過負荷検出部５０は、同様に、カウンタ５３が信号Ｖcompのパルスをカウントする。具体的には、カウンタ５３は、タイミングｔ２２において、クロックパルス（図９（Ａ））に基づいてカウント値をリセットし、信号Ｖcntを低レベルにした後（図９（Ｅ），図１０（Ｆ））、信号Ｖcompのパルスをカウントする。そして、カウンタ５３は、カウント値がＮ１に達したときに、出力信号Ｖcntを低レベルから高レベルに変化させる（図９（Ｅ））。そして、カウンタ５４は、この信号Ｖcntの変化に応じて、カウント値を１つ増加させる（図９（Ｆ））。
【００６２】
続くタイミングｔ２３〜ｔ２４の期間ＰＵにおける動作は、タイミングｔ２２〜ｔ２３の期間ＰＵにおける動作と全く同様である。
【００６３】
次に、タイミングｔ２４〜ｔ２５の期間ＰＵにおいて、過負荷検出部５０では、同様に、カウンタ５３が信号Ｖcompのパルスをカウントする。具体的には、まず、過負荷検出部５０では、同様の動作が行われ、カウンタ５４は、カウント値を１つ増加させる（図９（Ｆ））。その後、バックライト駆動信号ＣＢＬが高レベルから低レベルに変化する（図９（Ｂ））。これにより、制御部４８は、バックライト１３に電力を供給する必要がないため、制御信号ＣＳＷのパルス幅を狭める。これに応じて、トランジスタ４３に流れる電流Ｉ４３のピーク値が低くなり、信号Ｖcompは低レベルになる（図９（Ｃ），（Ｄ））。
【００６４】
続くタイミングｔ２５〜ｔ２９の期間ＰＵにおける動作は、タイミングｔ２１〜ｔ２５の期間ＰＵにおける動作と全く同様である。
【００６５】
次に、タイミングｔ２９〜ｔ３０の期間ＰＵにおいて、過負荷検出部５０では、カウンタ５４がカウント値をリセットする。具体的には、まず、カウンタ５３は、タイミングｔ２９において、クロックパルス（図９（Ａ））に基づいてカウント値をリセットし、信号Ｖcntを低レベルにする（図９（Ｅ））。その後、バックライト駆動信号ＣＢＬは低レベルを維持する（図９（Ｂ））。これにより、制御信号ＣＳＷは狭いパルス幅を維持するため、信号Ｖcompは低レベルを維持し（図９（Ｄ））、カウンタ５３の出力信号Ｖcntもまた低レベルを維持する（図９（Ｅ））。このように、信号Ｖcntがこの期間ＰＵにわたり低レベルを維持する為、カウンタ５４は、タイミングｔ３０においてカウント値をリセットする（図９（Ｆ））
【００６６】
その後、バックライト駆動部３０は、タイミングｔ２１〜ｔ３０の動作と同様の動作を繰り返す。
【００６７】
図９，１０に示した例では、過負荷検出部５０では、カウント値がカウント値Ｎ２に達する前にカウンタ５４がリセットするため、出力信号ＤＥＴが低レベルに維持される。これにより、バックライト駆動部３０は、バックライト１３の駆動を続ける。
【００６８】
このように、バックライト駆動部３０は、常に、バックライト１３に供給する電力を監視する。そして、後述するように、カウンタ５４のカウント値がカウント値Ｎ２に達することにより、バックライト１３に供給する電力が過大であると判断した場合には、スイッチング動作を停止する。これにより、例えば、スイッチング電源４０やバックライト１３が異常に発熱したり故障したりするおそれを低減することができる。
【００６９】
バックライト駆動部３０では、カウンタ５４のカウント値は、正常動作の際には、カウント値Ｎ２に達することはない。すなわち、表示装置１では、期間ＰＵの幅を、バックライト１３の消灯期間Ｐoffの幅よりも短くしたので、カウンタ５４は、消灯期間Ｐoffにおいてカウント値をリセットすることができる。このように、正常動作の際には、カウンタ５４のカウント値は定期的にリセットされるため、カウント値がカウント値Ｎ２に達することがなく、これにより、過負荷検出部５０は、バックライト１３に供給する電力は適切であると判断する。すなわち、カウント値Ｎ２を適切に設定することにより、スイッチング電源４０やバックライト１３を動作保証範囲内で動作させることができる。
【００７０】
その際、バックライト駆動部３０では、バックライト制御信号ＣＢＬの２周期分の期間に設けられた２つの消灯期間Ｐoffのうちの一方が、期間ＰＵを含むようにしている。すなわち、図９の例では、左から２つ目の消灯期間Ｐoffは１つの期間ＰＵ全体を含まず、一方、左から３つ目の消灯期間Ｐoffはタイミングｔ２９〜ｔ３０の期間ＰＵを含む。これにより、バックライト制御信号ＣＢＬの２周期分の期間において、カウンタ５４が１回リセットされる。なお、この例では、バックライト制御信号ＣＢＬの２周期分を単位として動作するようにしたが、これに限定されるものではなく、例えば３周期分以上を単位として動作するように設定してもよい。これにより、過負荷検出部５０は、カウンタ５４がより多くカウントすることができるため、より確実に動作することができる。
【００７１】
このように、バックライト駆動部３０は、常に、バックライト１３に供給する電力を監視する。すなわち、バックライト駆動部３０は、バックライト１３が発光している期間（発光期間Ｐon）には重い負荷を駆動し、バックライト１３が消灯している期間（消灯期間Ｐoff）には軽い負荷を駆動するため、その電力の平均値が動作保証範囲に収まるように動作する。つまり、発光期間Ｐonにおける電力が、動作保証範囲を超えるように設定される場合がある。よって、なんらかの不具合により、バックライト１３が連続して発光する状態になってしまった場合には、バックライト１３に供給する電力が動作保証範囲を超えてしまうおそれがあり、この場合には、例えば、スイッチング電源４０やバックライト１３が異常に発熱したり故障したりするおそれがある。バックライト駆動部３０は、トランジスタ４３の電流Ｉ４３に基づいて、バックライト１３に供給する電力を常に監視し、バックライト１３に供給する電力が過大であると判断した場合には、以下に説明するように動作を停止する。
【００７２】
次に、バックライト１３が常に発光状態になってしまった場合（ケースＣ２）の動作について説明する。この例では、説明を容易にするため、バックライト制御信号ＣＢＬが高レベルに固定された場合について説明する。
【００７３】
図１１は、ケースＣ２におけるバックライト駆動部３０の詳細動作のタイミング図を表すものであり、（Ａ）はクロック信号ＣＬＫの波形を示し、（Ｂ）はバックライト制御信号ＣＢＬの波形を示し、（Ｃ）は電流Ｉ４３の波形を示し、（Ｄ）は信号Ｖcompの波形を示し、（Ｅ）はカウンタ５３の出力信号Ｖcntの波形を示し、（Ｆ）はカウンタ５４におけるカウント値を示し、（Ｇ）はカウンタ５４の出力信号ＤＥＴの波形を示す。
【００７４】
図１２は、図１１のタイミングｔ３２〜ｔ３３の期間ＰＵにおけるバックライト駆動部３０の詳細動作のタイミング図を表すものであり、（Ａ）はクロック信号ＣＬＫの波形を示し、（Ｂ）はバックライト制御信号ＣＢＬの波形を示し、（Ｃ）は制御信号ＣＳＷの波形を示し、（Ｄ）は電流Ｉ４３の波形を示し、（Ｅ）は信号Ｖcompの波形を示し、（Ｆ）はカウンタ５３の出力信号Ｖcntの波形を示す。
【００７５】
このケースＣ２では、タイミングｔ３１〜ｔ３２の期間において、バックライト制御信号ＣＢＬが低レベルから高レベルに変化した後、そのレベルが高レベルに固定されている。以下に、この場合の動作について、詳細に説明する。
【００７６】
まず、タイミングｔ３１〜ｔ３２の期間ＰＵにおいて、過負荷検出部５０では、カウンタ５３が信号Ｖcompのパルスをカウントする。具体的には、まず、カウンタ５３は、タイミングｔ３１において、クロックパルス（図１１（Ａ））に基づいてカウント値をリセットする。その後、バックライト駆動信号ＣＢＬが低レベルから高レベルに変化する（図１１（Ｂ））。これにより、制御部４８は、バックライト１３に電力を供給するために、制御信号ＣＳＷのパルス幅を広げる。これに応じて、トランジスタ４３に流れる電流Ｉ４３のピーク値が高くなり（図１１（Ｃ））、信号Ｖcompにパルスが生じる（図１１（Ｄ））。カウンタ５３は、この信号Ｖcompのパルスをカウントし、カウント値がＮ１に達したときに、出力信号Ｖcntを低レベルから高レベルに変化させる（図１１（Ｅ））。そして、カウンタ５４は、この信号Ｖcntの変化に応じて、カウント値を１つ増加させる（図１１（Ｆ））。
【００７７】
次に、タイミングｔ３２〜ｔ３３の期間ＰＵにおいて、過負荷検出部５０では、同様に、カウンタ５３が信号Ｖcompのパルスをカウントする。具体的には、まず、カウンタ５３は、タイミングｔ３２において、クロックパルス（図１１（Ａ））に基づいてカウント値をリセットし、信号Ｖcntを低レベルにする（図１１（Ｅ））。その後、カウンタ５３は、信号Ｖcompのパルスをカウントし、カウント値がＮ１に達したときに、出力信号Ｖcntを低レベルから高レベルに変化させる（図１１（Ｅ））。そして、カウンタ５４は、この信号Ｖcntの変化に応じて、カウント値を１つ増加させる（図１１（Ｆ））。
【００７８】
その後、バックライト駆動部３０は、タイミングｔ３２〜ｔ３３における動作を繰り返す。
【００７９】
次に、タイミングｔ３８〜ｔ３９の期間ＰＵにおいて、過負荷検出部５０は、スイッチング電源４０におけるスイッチング動作を停止する。具体的には、まず、カウンタ５３は、タイミングｔ３８において、クロックパルス（図１１（Ａ））に基づいてカウント値をリセットし、信号Ｖcntを低レベルにする（図１１（Ｅ））。その後、カウンタ５３は、信号Ｖcompのパルスをカウントし、カウント値がＮ１に達したときに、出力信号Ｖcntを低レベルから高レベルに変化させる（図１１（Ｅ））。そして、カウンタ５４は、この信号Ｖcntの変化に応じて、カウント値を１つ増加させる（図１１（Ｆ））。このとき、カウンタ５４のカウント値はカウント値Ｎ２に達し（図１１（Ｆ））、出力信号ＤＥＴを低レベルから高レベルへ変化させる（図１１（Ｇ））。これに応じて、制御部４８は、バックライト１３に供給する電力が過大であると判断し、制御信号ＣＳＷを低レベルに固定する。これにより、トランジスタ４３は常にオフ状態になるため電流Ｉ４３も“０”になり（図１１（Ｃ））、スイッチング電源４０の動作が停止する。
【００８０】
このように、バックライト駆動部３０は、常に、バックライト１３に供給する電力を監視し、カウンタ５４のカウント値がカウント値Ｎ２に達した場合には、バックライト１３に供給する電力が過大であると判断する。言い換えれば、バックライト駆動部３０は、カウント値Ｎ２に対応する期間の間バックライト１３が発光し続けた場合には、電力が動作保証範囲を超えると判断する。そして、バックライト駆動部３０は、スイッチング電源４０におけるスイッチング動作を停止する。これにより、例えば、スイッチング電源４０やバックライト１３が異常に発熱したり故障したりするおそれを低減することができる。
【００８１】
次に、バックライト１３が常に発光状態になってしまった場合であって、スイッチング電源４０に、図示しない過電流保護回路（Over Current Protection）を設けた場合（ケースＣ３）の動作について説明する。
【００８２】
図１３は、ケースＣ３におけるバックライト駆動部３０の詳細動作のタイミング図を表すものであり、（Ａ）はクロック信号ＣＬＫの波形を示し、（Ｂ）は制御信号ＣＳＷの波形を示し、（Ｃ）は電流Ｉ４３の波形を示し、（Ｄ）は信号Ｖcompの波形を示し、（Ｅ）はカウンタ５３の出力信号Ｖcntの波形を示す。この図１３において、タイミングｔ３２，ｔ３３は、図１１，図１２のタイミングｔ３２，ｔ３３にそれぞれ対応するものである。
【００８３】
過電流保護回路を設けた場合には、制御部４８は、図１３（Ｂ）に示したように、幅の狭いパルスと幅の広いパルスが交互に現れるような制御信号ＣＳＷを生成する場合がある。すなわち、この場合には、スイッチング電源４０は、負荷（バックライト１３）に過電流が流れると、過電流保護回路の働きによりパルス幅を狭め、負荷への電流が減少すると、再びパルス幅を広げ、負荷への電流が増大するように動作する。この場合、トランジスタ４３を流れる電流Ｉ４３には、図１３（Ｃ）に示したように、ピーク値が小さい過渡電流とピーク値が大きい過渡電流とが交互に現れる。この例では、電流Ｉrefを下回る過渡電流と電流Ｉrefを上回る過渡電流とが交互に生じ、これにより、コンパレータ５１の出力信号Ｖcompには、ケースＣ２の場合（図１２）のパルス数の半分の数のパルスが現れる。そして、カウンタ５３は、信号Ｖcompのパルスをカウントし、カウント値がＮ１に達したときに、出力信号Ｖcntを低レベルから高レベルに変化させる（図１３（Ｅ））。そして、カウンタ５４は、ケースＣ２の場合と同様に、この信号Ｖcntの変化に応じてカウント値を１つ増加させる。
【００８４】
このように、過電流保護回路を設けたスイッチング電源４０において、負荷への過電流が生じ、図１３（Ｂ）に示したような波形を有する制御信号ＣＳＷが長期間続く場合には、バックライト駆動部３０は、バックライト１３に供給する電力が過大であると判断し、動作を停止する。
【００８５】
（比較例）
次に、比較例に係る表示装置１Ｒについて説明する。本比較例は、過負荷検出部５０の構成が、本実施の形態とは異なるものである。すなわち、本実施の形態（図６）では、２つのカウンタ５３，５４を用いて過負荷検出部５０を構成したが、これに代えて、本比較例では、１つのカウンタ５３Ｒを用いて過負荷検出部５０Ｒを構成している。その他の構成は、本実施の形態（図１）と同様である。
【００８６】
図１４は、比較例に係るバックライト駆動部３０Ｒの過負荷検出部５０Ｒの一構成例を表すものである。過負荷検出部５０Ｒは、クロック生成部５２Ｒと、カウンタ５３Ｒとを備えている。
【００８７】
クロック生成部５２Ｒは、期間ＰＵＲを定義するクロック信号ＣＬＫＲを生成するものである。クロック信号ＣＬＫＲは、本実施の形態に係るクロック信号ＣＬＫと、パルスが現れる周期が異なるものである。すなわち、期間ＰＵＲの幅（周期）は、本実施の形態の場合とは異なり、バックライト制御信号ＣＢＬの周期と同じになるように設定されている。
【００８８】
カウンタ５３Ｒは、信号Ｖcompおよびクロック信号ＣＬＫＲに基づいて、各期間ＰＵＲにおいて、信号Ｖcompのパルスをカウントし、そのカウント値が所定のカウント値Ｎ１Ｒに達したときに、その出力信号ＤＥＴを高レベルにするものである。また、カウンタ５３Ｒは、クロック信号ＣＬＫＲにクロックパルスが現れたときに、カウント値をリセットするようになっている。
【００８９】
次に、ケースＣ１〜Ｃ３におけるバックライト駆動部３０Ｒの動作について説明する。
【００９０】
図１５は、ケースＣ１におけるバックライト駆動部３０Ｒの詳細動作のタイミング図を表すものであり、（Ａ）はクロック信号ＣＬＫＲの波形を示し、（Ｂ）はバックライト制御信号ＣＢＬの波形を示し、（Ｃ）は電流Ｉ４３の波形を示し、（Ｄ）は信号Ｖcompの波形を示し、（Ｅ）はカウンタ５３Ｒのカウント値を示し、（Ｆ）はカウンタ５３Ｒの出力信号ＤＥＴの波形を示す。
【００９１】
まず、タイミングｔ５１において、カウンタ５３Ｒは、クロックパルス（図１５（Ａ））に基づいてカウント値をリセットする（図１５（Ｅ））。
【００９２】
次に、タイミングｔ５２において、バックライト駆動信号ＣＢＬが低レベルから高レベルに変化する（図１５（Ｂ））。これにより、制御部４８は、バックライト１３に電力を供給するために、本実施の形態の場合と同様に、制御信号ＣＳＷのパルス幅を広げる。これに応じて、トランジスタ４３に流れる電流Ｉ４３のピーク値が高くなり（図１５（Ｃ））、信号Ｖcompにパルスが生じる（図１５（Ｄ））。カウンタ５３Ｒは、この信号Ｖcompのパルスをカウントする（図１５（Ｅ））。
【００９３】
次に、タイミングｔ５３において、バックライト駆動信号ＣＢＬが高レベルから低レベルに変化する（図１５（Ｂ））。これにより、制御部４８は、バックライト１３に電力を供給する必要がないため、本実施の形態の場合と同様に、制御信号ＣＳＷのパルス幅を狭める。これに応じて、トランジスタ４３に流れる電流Ｉ４３のピーク値が低くなり（図１５（Ｃ））、信号Ｖcompは低レベルになる（図１５（Ｄ））。よって、カウンタ５３Ｒのカウント値は維持される（図１５（Ｅ））。
【００９４】
その後、バックライト駆動部３０Ｒは、タイミングｔ５１〜ｔ５４の動作と同様の動作を繰り返す。
【００９５】
このように、過負荷検出部５０Ｒは、カウント値がカウント数Ｎ１Ｒに達する前にカウンタ５３Ｒがリセットするため、出力信号ＤＥＴが低レベルに維持される。これにより、バックライト駆動部３０Ｒは、バックライト１３の駆動を続ける。
【００９６】
図１６は、ケースＣ２におけるバックライト駆動部３０Ｒの詳細動作のタイミング図を表すものであり、（Ａ）はクロック信号ＣＬＫＲの波形を示し、（Ｂ）はバックライト制御信号ＣＢＬの波形を示し、（Ｃ）は電流Ｉ４３の波形を示し、（Ｄ）は信号Ｖcompの波形を示し、（Ｅ）はカウンタ５３Ｒのカウント値を示し、（Ｆ）はカウンタ５３Ｒの出力信号ＤＥＴの波形を示す。
【００９７】
まず、タイミングｔ６１において、カウンタ５３Ｒは、クロックパルス（図１６（Ａ））に基づいてカウント値をリセットする（図１６（Ｅ））。
【００９８】
次に、タイミングｔ６２において、バックライト駆動信号ＣＢＬが低レベルから高レベルに変化する（図１６（Ｂ））。これにより、制御部４８は、制御信号ＣＳＷのパルス幅を広げ、これに応じて、トランジスタ４３に流れる電流Ｉ４３のピーク値が高くなり、信号Ｖcompにパルスが生じる（図１６（Ｃ），（Ｄ））。カウンタ５３Ｒは、この信号Ｖcompのパルスをカウントする（図１６（Ｅ））。
【００９９】
次に、タイミングｔ６３において、カウンタ５３Ｒのカウント値がカウント数Ｎ１Ｒに達し（図１６（Ｅ））、出力信号ＤＥＴを低レベルから高レベルへ変化させる（図１６（Ｆ））。これに応じて、制御部４８は、制御信号ＣＳＷを低レベルに固定する。これにより、トランジスタ４３は常にオフ状態になるため電流Ｉ４３も“０”になり（図１６（Ｃ））、スイッチング電源４０Ｒの動作が停止する。
【０１００】
このように、過負荷検出部５０Ｒは、カウンタ５３Ｒのカウント値がカウント数Ｎ１Ｒに達した場合には、バックライト１３に供給する電力が過大であると判断する。これにより、例えば、スイッチング電源４０Ｒやバックライト１３が異常に発熱したり故障したりするおそれを低減することができる。
【０１０１】
以上に説明したように、本比較例に係る過負荷検出部５０Ｒでも、ケースＣ１，Ｃ２では、所望の動作を行う。しかしながら、ケースＣ３では、以下に示すように、バックライト駆動部３０Ｒの不具合（負荷への過電流）を検出できないおそれがある。
【０１０２】
図１７は、ケースＣ３におけるバックライト駆動部３０Ｒの詳細動作のタイミング図を表すものであり、（Ａ）はクロック信号ＣＬＫＲの波形を示し、（Ｂ）はバックライト制御信号ＣＢＬの波形を示し、（Ｃ）は電流Ｉ４３の波形を示し、（Ｄ）は信号Ｖcompの波形を示し、（Ｅ）はカウンタ５３Ｒのカウント値を示し、（Ｆ）はカウンタ５３Ｒの出力信号ＤＥＴの波形を示す。
【０１０３】
制御信号ＣＳＷが、図１３（Ｂ）に示したような波形である場合、コンパレータ５１の出力信号Ｖcompには、上述したように、ケースＣ２の場合のパルス数の半分の数のパルスが現れる。よって、カウンタ５３Ｒが、タイミングｔ７２から信号Ｖcompのパルスをカウントし始めても、このカウント値は、図１７に示したように、ケースＣ２の場合（図１６）の半分の速度で上昇するため、期間ＰＵＲの最後までにカウント数Ｎ１Ｒに達しないおそれがある。この場合には、カウンタ５３Ｒの出力信号ＤＥＴは、低レベルに維持されてしまう。
【０１０４】
このように、過電流保護回路を設けたスイッチング電源４０Ｒにおいて、負荷への過電流が生じ、図１３（Ｂ）に示したような波形を有する制御信号ＣＳＷが長期間続く場合でも、バックライト駆動部３０Ｒは、バックライト１３に供給する電力が適切であると判断し、バックライト１３の駆動を続けてしまう。
【０１０５】
一方、本実施の形態に係るバックライト駆動部３０では、２つのカウンタ５３，５４を設けるようにしている。これにより、例えば、スイッチング電源４０に過電流保護回路を設け、負荷への過電流により図１３（Ｂ）に示したような波形を有する制御信号ＣＳＷが長期間続く場合でも、バックライト１３に供給する電力が過大であると判断し、スイッチング電源４０におけるスイッチング動作を停止することができる。
【０１０６】
なお、他の方法としては、例えば、温度センサを設け、供給電力が過大になった結果生じる発熱等を検出する方法が考えられる。しかしながら、この方法では、温度センサが高価であるためにコストが高くなり、また、温度センサの配置場所によっては温度変化を確実に検出できないおそれがある。一方、本実施の形態に係るバックライト駆動部３０では、パルスをカウントするといういわゆる論理動作により、供給電力が過大になったことを検出するため、より確実な動作が可能になるとともに、低コストを実現することができる。
【０１０７】
［効果］
以上のように本実施の形態では、２つのカウンタを設けたので、負荷に供給する電力が周期的に変化する場合でも、負荷に供給する電力が過大であるかどうかどうかを検出することができ、これにより供給電力が過大にならないように供給を制限することができる。さらに、スイッチング電源に過電流保護回路を設けた場合でも、供給電力が過大であるかどうかを検出することができる。
【０１０８】
［変形例１−１］
上記実施の形態では、過負荷検出部５０は、バックライト制御信号ＣＢＬの２周期分を単位として動作したが、これに限定されるものではなく、これに代えて、例えば３周期分以上を単位として動作してもよいし、１周期分を単位として動作してもよい。
【０１０９】
また、過負荷検出部５０では、図９などに示したように、期間ＰＵの幅を、バックライト１３の消灯期間Ｐoffに１つ収まる程度に設定したが、これに限定されるものではなく、例えば、図１８に示したように、バックライト１３の消灯期間Ｐoffに複数（この例では２つ）収まる程度に設定してもよい。
【０１１０】
［変形例１−２］
上記実施の形態では、バックライト１３は間欠的に発光するようにしたが、これに限定されるものではなく、これに代えて、例えば、バックライト１３が常に発光するようにしてもよい。以下に、本変形例に係る表示装置１Ｂについて、正常に動作する場合と、不具合が発生する場合の２つのケースについて詳細に説明する。
【０１１１】
図１９は、表示装置１Ｂが正常に動作する場合における、バックライト駆動部３０の詳細動作のタイミング図を表すものであり、（Ａ）はクロック信号ＣＬＫの波形を示し、（Ｂ）はバックライト制御信号ＣＢＬの波形を示し、（Ｃ）は電流Ｉ４３の波形を示し、（Ｄ）は信号Ｖcompの波形を示し、（Ｅ）はカウンタ５３の出力信号Ｖcntの波形を示し、（Ｆ）はカウンタ５４におけるカウント値を示し、（Ｇ）はカウンタ５４の出力信号ＤＥＴの波形を示す。
【０１１２】
この例では、バックライト制御信号ＣＢＬを常に高レベルにすることにより（図１９（Ｂ））、バックライト１３が常に発光する。この場合には、電圧Ｖrefは、図１９（Ｃ）に示したように、電流Ｉrefが電流Ｉ４３のピーク電流よりも大きい値になるように設定される。これにより、各期間ＰＵにおいて、コンパレータ５１の出力信号Ｖcompにはパルスが発生しないため（図１９（Ｄ））、カウンタ５３の出力信号Ｖcntは低レベルを維持する（図１９（Ｅ））。よって、カウンタ５４のカウント値は増加することがないため（図１９（Ｆ））、カウンタ５４の出力信号ＤＥＴもまた低レベルを維持する（図１９（Ｇ））。
【０１１３】
図２０は、タイミングｔ８０以降において不具合が発生する場合における、バックライト駆動部３０の詳細動作のタイミング図を表すものであり、（Ａ）はクロック信号ＣＬＫの波形を示し、（Ｂ）はバックライト制御信号ＣＢＬの波形を示し、（Ｃ）は電流Ｉ４３の波形を示し、（Ｄ）は信号Ｖcompの波形を示し、（Ｅ）はカウンタ５３の出力信号Ｖcntの波形を示し、（Ｆ）はカウンタ５４におけるカウント値を示し、（Ｇ）はカウンタ５４の出力信号ＤＥＴの波形を示す。
【０１１４】
この例では、タイミングｔ８０以降において、なんらかの不具合が生じ、電流Ｉ４３のピーク値が増大し、電流Ｉrefを上回る（図２０（Ｃ））。これにより、各期間ＰＵにおいて、コンパレータ５１の出力信号Ｖcompにパルスが発生し（図２０（Ｄ））、このパルスに基づいて、カウンタ５３，５４が動作を行う。そして、カウンタ５４のカウント値がカウント値Ｎ２に達したときに、カウンタ５４の出力信号ＤＥＴが低レベルから高レベルに変化する（図２０（Ｇ））。
【０１１５】
［変形例１−３］
上記実施の形態では、抵抗素子４４には、トランジスタ４３を流れる電流のみが流すようにしたが、これに限定されるものではなく、これに代えて、バックライト１３に流れる電流をも流すようにしてもよい。図２１は、本変形例に係るバックライト駆動部３０Ｃの一構成例を表すものである。バックライト駆動部３０Ｃでは、抵抗素子３２の他端は、抵抗素子４４Ｃの一端に接続され、バックライト１３の発光電流は、トランジスタ３１、抵抗素子３２、および抵抗素子４４Ｃを介して接地へ流れる。
【０１１６】
＜３．適用例＞
次に、上記実施の形態および変形例で説明した表示装置の適用例について説明する。
【０１１７】
図２２は、上記実施の形態等の表示装置が適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係る表示装置により構成されている。
【０１１８】
上記実施の形態等の表示装置は、このようなテレビジョン装置の他、デジタルカメラ、パーソナルコンピュータ、携帯電話等の携帯端末装置、あるいはビデオカメラなどのあらゆる分野の電子機器に適用することが可能である。言い換えると、上記実施の形態等の表示装置は、映像を表示するあらゆる分野の電子機器に適用することが可能である。
【０１１９】
以上、実施の形態および変形例、ならびに電子機器への適用例を挙げて本技術を説明したが、本技術はこれらの実施の形態等には限定されず、種々の変形が可能である。
【０１２０】
例えば、上記実施の形態では、スイッチング電源４０として昇圧チョッパー方式を用いたが、これに限定されるものではなく、これに代えて、例えば、降圧チョッパー方式でもよく、また、チョッパー方式の他、例えば、フライバック方式や電流共振方式などを用いてもよい。すなわち、本技術は、スイッチング電源であれば、どのようなものでも適用することができる。
【０１２１】
また、例えば、上記実施の形態では、過負荷検出部５０は、検出信号ＤＥＴを制御部４８に供給し、制御部４８がスイッチング電源４０におけるスイッチング動作を停止したが、これに限定されるものではなく、これに代えて、例えばこの表示装置１を制御するシステム側に供給し、システム側が、表示装置１の一部もしくは全部の動作を停止するように構成してもよい。
【０１２２】
また、例えば、上記実施の形態では、スイッチング電源４０を液晶表示装置に適用したが、これに限定されるものではなく、これに代えて、例えば、ＥＬ（Electro Luminescence）表示装置に適用してもよい。
【０１２３】
また、例えば、上記実施の形態では、スイッチング電源４０を、表示装置をはじめとした電子機器に適用したが、この他、例えば、照明装置に適用してもよい。
【０１２４】
なお、本技術は以下のような構成とすることができる。
【０１２５】
（１）スイッチング素子を有する電源部と、
前記スイッチング素子のスイッチングにより生じる複数の電流パルスのうち、しきい電流値を超えるピーク電流値を有する過電流パルスの数が単位期間にしきいパルス数に達したか否かを検出するとともに、前記過電流パルスの数が前記しきいパルス数に達した単位期間の連続出現回数を検出する検出部と
を備えたスイッチング電源装置。
【０１２６】
（２）前記電源部は、軽負荷状態を含む複数の負荷状態の間で時分割的に繰り返し切り換わる負荷を駆動し、
前記単位期間は、負荷が前記軽負荷状態になる軽負荷期間よりも短い
前記（１）に記載のスイッチング電源装置。
【０１２７】
（３）一の前記軽負荷期間は、１つの単位期間を含む
前記（２）に記載のスイッチング電源装置。
【０１２８】
（４）前記負荷は、所定期間ごとに負荷状態を繰り返し
前記軽負荷期間は、複数の前記所定期間おきに、１つの単位期間を含む
前記（３）に記載のスイッチング電源装置。
【０１２９】
（５）一の前記軽負荷期間は、複数の単位期間を含む
前記（２）に記載のスイッチング電源装置。
【０１３０】
（６）前記検出部は、前記連続出現回数が所定数に達したか否かを検出し、
前記単位期間の前記所定数分の時間は、１または複数の単位期間を含む、互いに隣り合う軽負荷期間の間の時間よりも長い
前記（３）から（５）のいずれかに記載のスイッチング電源装置。
【０１３１】
（７）前記しきい電流値は、前記軽負荷期間における電流パルスのピーク電流値よりも大きい
前記（２）から（６）のいずれかに記載のスイッチング電源装置。
【０１３２】
（８）前記しきい電流値は、負荷が前記複数の負荷状態のうちの最も重い負荷状態になる期間における電流パルスのピーク電流値よりも小さい
前記（２）から（６）のいずれかに記載のスイッチング電源装置。
【０１３３】
（９）前記複数の負荷状態は、軽負荷状態および重負荷状態である
前記（２）から（８）のいずれかに記載のスイッチング電源装置。
【０１３４】
（１０）前記しきいパルス数は、前記単位期間における前記スイッチング素子がオンになる回数よりも少ない
前記（１）から（９）のいずれかに記載のスイッチング電源装置。
【０１３５】
（１１）バックライトの発光を制御する制御部と、
スイッチング素子を有し、前記バックライトに電力を供給する電源部と、
前記スイッチング素子のスイッチングにより生じる複数の電流パルスのうち、しきい電流値を超えるピーク電流値を有する過電流パルスの数が単位期間にしきいパルス数に達したか否かを検出するとともに、前記過電流パルスの数が前記しきいパルス数に達した単位期間の連続出現回数を検出する検出部と
を備えたバックライト駆動装置。
【０１３６】
（１２）液晶表示部と、
バックライトと、
前記バックライトの発光を制御する制御部と、
スイッチング素子を有し、前記バックライトに電力を供給する電源部と、
前記スイッチング素子のスイッチングにより生じる複数の電流パルスのうち、しきい電流値を超えるピーク電流値を有する過電流パルスの数が単位期間にしきいパルス数に達したか否かを検出するとともに、前記過電流パルスの数が前記しきいパルス数に達した単位期間の連続出現回数を検出する検出部と
を備えた表示装置。
【符号の説明】
【０１３７】
１…表示装置、１１…制御部、１２…液晶表示部、１３…バックライト、１９（１）〜１９（Ｎ）…ＬＥＤ、２０…表示駆動部、２１…タイミング制御部、２２…ゲートドライバ、２３…データドライバ、３０，３０Ｃ…バックライト駆動部、３１…トランジスタ、３２…抵抗素子、４０，４０Ｃ…スイッチング電源、４１，４６…容量素子、４２…チョークコイル、４３…トランジスタ、４４，４４Ｃ…抵抗素子、４５…ダイオード、４８…制御部、５０…過負荷検出部、５１…コンパレータ、５２…クロック生成部、５３，５４…カウンタ、ＣＢＬ…バックライト駆動信号、ＣＬＫ…クロック信号、Ｃｓ…保持容量素子、ＣＳＬ…保持容量線、ＣＳＷ…制御信号、ＤＥＴ…検出信号、ＧＣＬ…ゲート線、Ｉref，Ｉ４３…電流、ＬＣ…液晶素子、Ｎ１，Ｎ２…値、ＰＵ…単位期間、Ｐix…画素、Ｐon…発光期間、Ｐoff…消灯期間、Ｓdisp，Ｓdisp2…映像信号、ＳＧＬ…データ線、Ｔｒ…ＴＦＴ素子、Ｖcnt，Ｖcomp，Ｖdet…信号、ＶＤＤ，ＶＤＤ１，Ｖref…リファレンス電圧、Ｖ１…電圧。
【図１】
2013162708.tif 000003
【図２】
2013162708.tif 000004
【図３】
2013162708.tif 000005
【図４】
2013162708.tif 000006
【図５】
2013162708.tif 000007
【図６】
2013162708.tif 000008
【図７】
2013162708.tif 000009
【図８】
2013162708.tif 000010
【図９】
2013162708.tif 000011
【図１０】
2013162708.tif 000012
【図１１】
2013162708.tif 000013
【図１２】
2013162708.tif 000014
【図１３】
2013162708.tif 000015
【図１４】
2013162708.tif 000016
【図１５】
2013162708.tif 000017
【図１６】
2013162708.tif 000018
【図１７】
2013162708.tif 000019
【図１８】
2013162708.tif 000020
【図１９】
2013162708.tif 000021
【図２０】
2013162708.tif 000022
【図２１】
2013162708.tif 000023
【図２２】
2013162708.tif 000024